(57)【要約】【課題】撮影前の煩雑な操作が不要でかつ、所望の画像を容易に得ることができる撮像技術を提供する。【解決手段】撮影条件指定モードでは、ユーザーによる背面操作部１７の押下操作により、「合焦」「露出」及び「ホワイトバランス」等の撮影条件項目のうち少なくとも一つの条件変動項目が選択される。そして、本撮影動作において、条件変動項目について段階的に異ならせた複数の撮影条件にそれぞれ対応する複数の画像が時間順次に取得され、メモリ２３に複数の画像が一時的に記憶される。その後、ユーザーによる背面操作部１７の押下操作に応じて評価エリアが指定される。そして、当該評価エリアにおいて、条件変動項目に係る適正条件を最も満足する画像を、メモリ２３に一時的に記憶される複数の画像から抽出し、メモリカード９に記憶する。この時、残余の画像は、例えば消去される。【選択図】図３
2006025311.tif 000002
【特許請求の範囲】
【請求項１】
撮像装置であって、
被写体に係る画像を取得する撮像手段と、
前記撮像手段を用いて、所定の撮影条件項目について段階的に異ならせた複数の撮影条件を時間順次に採用しつつ、前記複数の撮影条件にそれぞれ対応する複数の画像を取得する撮影動作を実施させる撮影制御手段と、
前記撮影動作後に、ユーザーの操作に応じて、前記複数の画像に対する評価エリアの位置を指定する指定手段と、
前記評価エリアにおいて前記所定の撮影条件項目に係る所定条件を最も満足する一の画像を、前記複数の画像から抽出する抽出手段と、
を備えることを特徴とする撮像装置。
【請求項２】
請求項１に記載の撮像装置であって、
前記所定の撮影条件項目が、
合焦、露出、及びホワイトバランスのうち少なくとも一つの項目を含み、
前記抽出手段が、
前記複数の画像のうちの各画像を対象として、前記評価エリアに係る合焦評価値、露出評価値、及びホワイトバランス評価値のうち少なくとも一つの前記評価エリアに係る評価値を算出する評価値算出手段と、
前記評価値算出手段によって算出された評価値に基づいて、前記一の画像を前記複数の画像から抽出する手段と、
を有することを特徴とする撮像装置。
【請求項３】
請求項１または請求項２に記載の撮像装置であって、
前記複数の画像のうち、前記抽出手段によって抽出されなかった画像を消去する消去手段、
を備えることを特徴とする撮像装置。
【請求項４】
請求項１から請求項３のいずれかに記載の撮像装置であって、
前記撮影制御手段が、
画像表示のフレームレートよりも相対的に高速のフレームレートで前記撮影手段を駆動させることで前記複数の画像を取得させることを特徴とする撮像装置。
【請求項５】
請求項１から請求項４のいずれかに記載の撮像装置であって、
前記撮影動作の開始指示を発する指示手段と、
前記開始指示に応答して、前記撮像手段におけるフレームレートを、前記開始指示が発せられる前のフレームレートよりも相対的に高速のフレームレートに変更する変更手段と、
を備えることを特徴とする撮像装置。
【請求項６】
請求項１から請求項５のいずれかに記載の撮像装置であって、
前記変更手段が、
前記撮影動作の終了に応答して、前記撮像手段におけるフレームレートを、前記開始指示が発せられる前のフレームレートに変更することを特徴とする撮像装置。
【請求項７】
画像取得方法であって、
(a)所定の撮像手段を用いて、所定の撮影条件項目について段階的に異ならせた複数の撮影条件を時間順次に採用しつつ、前記複数の撮影条件にそれぞれ対応する複数の画像を取得する撮影動作を実施させるステップと、
(b)前記撮影動作後に、ユーザーの操作に応じて、前記複数の画像に対する評価エリアの位置を指定するステップと、
(c)前記評価エリアにおいて前記所定の撮影条件項目に係る所定条件を最も満足する一の画像を、前記複数の画像から抽出するステップと、
を備えることを特徴とする画像取得方法。
【発明の詳細な説明】
【技術分野】
【０００１】
本発明は、画像を取得するための技術に関する。
【背景技術】
【０００２】
一般的な撮像装置では、オートフォーカス（ＡＦ）制御、自動露出（ＡＥ）制御、及びオートホワイトバランス（ＡＷＢ）制御等を適宜実行することで、撮影シーンに応じた画像を得ることができる。
【０００３】
そして、被写体の状態に拘わらず常に被写体を精度良く撮影するために、イメージセンサからの動画像に基づいて被写体の状態を検知して、イメージセンサから単位時間に出力されるフレーム数を変更するカメラが提案されている（例えば、特許文献１）。この特許文献１では、合焦に関する開示が全くなされていないが、一般的な撮像装置では、主要な被写体に対して合焦する位置までフォーカスレンズを駆動させるＡＦ動作（ワンショットＡＦ動作）を行ってから、撮影が行われる。
【０００４】
ここで、ワンショットＡＦ動作について簡単に説明する。
【０００５】
まず、ＣＣＤ撮像素子から出力される画像信号に基づいたライブビュー画像に対して、中央の位置、又はユーザーの操作で設定された任意の位置に、合焦状態を評価するためのコントラスト値（合焦評価値）を算出する対象エリア（評価エリア）が設定される。例えば、図１５に示すように、本撮影前において、撮像装置に設けられたＬＣＤ画面上に、ライブビュー画像と、現在の評価エリアの位置を示す枠Ａｅとが重畳表示される。
【０００６】
図１６はワンショットＡＦ動作の動作フローを示すフローチャートであり、まず、ライブビュー画像が表示されている状態において、ユーザーによるシャッタボタンの押下操作に応答して、ワンショットＡＦ動作が開始する。
【０００７】
ワンショットＡＦ動作が開始すると、まず、フォーカスレンズを初期位置から微小駆動させて、評価エリアについて算出される合焦評価値が増大するフォーカスレンズの駆動方向を決定する（ステップＳ１０１）。次に、ステップＳ１０１で決定した駆動方向に向けて所定のピッチでフォーカスレンズを段階的に駆動させつつ、各フォーカスレンズの位置（レンズ位置）に対応する画像を取得し、評価エリア内の画像データに基づいて合焦評価値を算出して、合焦評価値が減少し始めるまでフォーカスレンズの駆動（レンズ駆動）を続ける（ステップＳ１０２）。そして、図１７に示すように、合焦評価値が減少し始めたら、レンズ駆動を停止して、合焦評価値の最大値Ｙｎとその前後の合焦評価値Ｙｎ−１，Ｙｎ＋１、及び当該合焦評価値にそれぞれ対応するレンズ位置（Ｘｎ−１，Ｘｎ，Ｘｎ＋１）を用いた２次補間近似計算（２次曲線近似による計算）により、合焦評価値が最大となるレンズ位置（合焦レンズ位置）を算出する（ステップＳ１０３）。更に、ステップＳ１０３で算出された合焦レンズ位置までフォーカスレンズが駆動され（ステップＳ１０４）、ワンショットＡＦ動作が終了する。
【０００８】
このような技術に関する先行技術文献としては、以下のようなものがある。
【０００９】
【特許文献１】特開２００１−３５８９８４号公報
【発明の開示】
【発明が解決しようとする課題】
【００１０】
しかしながら、上述したようなワンショットＡＦ動作を行う際、画像の中央に固定された評価エリアを用いる場合には、画像の中央部付近で捉えられる被写体にしか合焦させることができず、所望の構図で被写体に合焦させた画像（合焦画像）を取得することは難しい。また、ユーザーの操作により評価エリアが移動可能である場合であっても、本撮影前に評価エリアを所望の位置まで移動させる煩雑な操作が必要となる。このような本撮影前の煩雑な操作は、撮影の阻害要因ともなり、撮影に集中することができず、シャッターチャンスを逸する等といった問題を招く。
【００１１】
そして、このような問題は、ＡＦ制御に限られず、露出制御、及びホワイトバランス制御等、各種撮影条件に係る制御一般に共通する問題となっている。具体的には、例えば、画像全体の平均的な輝度が一定のレベルになるような自動露出制御を採用する場合には、画像上の主要な被写体が暗くなり過ぎたり、明るくなり過ぎたりすることがある。逆に、ユーザーが種々の操作を行うことにより、主要な被写体の輝度を所望のレベルに設定する場合には、撮影前に煩雑な操作が必要となる。
【００１２】
本発明は、上記課題に鑑みてなされたものであり、撮影前の煩雑な操作が不要でかつ、所望の画像を容易に得ることができる撮像技術を提供することを目的とする。
【課題を解決するための手段】
【００１３】
上記の課題を解決するために、請求項１の発明は、撮像装置であって、被写体に係る画像を取得する撮像手段と、前記撮像手段を用いて、所定の撮影条件項目について段階的に異ならせた複数の撮影条件を時間順次に採用しつつ、前記複数の撮影条件にそれぞれ対応する複数の画像を取得する撮影動作を実施させる撮影制御手段と、前記撮影動作後に、ユーザーの操作に応じて、前記複数の画像に対する評価エリアの位置を指定する指定手段と、前記評価エリアにおいて前記所定の撮影条件項目に係る所定条件を最も満足する一の画像を、前記複数の画像から抽出する抽出手段とを備えることを特徴とする。
【００１４】
また、請求項２の発明は、請求項１に記載の撮像装置であって、前記所定の撮影条件項目が、合焦、露出、及びホワイトバランスのうち少なくとも一つの項目を含み、前記抽出手段が、前記複数の画像のうちの各画像を対象として、前記評価エリアに係る合焦評価値、露出評価値、及びホワイトバランス評価値のうち少なくとも一つの前記評価エリアに係る評価値を算出する評価値算出手段と、前記評価値算出手段によって算出された評価値に基づいて、前記一の画像を前記複数の画像から抽出する手段とを有することを特徴とする。
【００１５】
また、請求項３の発明は、請求項１または請求項２に記載の撮像装置であって、前記複数の画像のうち、前記抽出手段によって抽出されなかった画像を消去する消去手段を備えることを特徴とする。
【００１６】
また、請求項４の発明は、請求項１から請求項３のいずれかに記載の撮像装置であって、前記撮影制御手段が、画像表示のフレームレートよりも相対的に高速のフレームレートで前記撮影手段を駆動させることで前記複数の画像を取得させることを特徴とする。
【００１７】
また、請求項５の発明は、請求項１から請求項４のいずれかに記載の撮像装置であって、前記撮影動作の開始指示を発する指示手段と、前記開始指示に応答して、前記撮像手段におけるフレームレートを、前記開始指示が発せられる前のフレームレートよりも相対的に高速のフレームレートに変更する変更手段とを備えることを特徴とする。
【００１８】
また、請求項６の発明は、請求項１から請求項５のいずれかに記載の撮像装置であって、前記変更手段が、前記撮影動作の終了に応答して、前記撮像手段におけるフレームレートを、前記開始指示が発せられる前のフレームレートに変更することを特徴とする。
【００１９】
また、請求項７の発明は、画像取得方法であって、(a)所定の撮像手段を用いて、所定の撮影条件項目について段階的に異ならせた複数の撮影条件を時間順次に採用しつつ、前記複数の撮影条件にそれぞれ対応する複数の画像を取得する撮影動作を実施させるステップと、(b)前記撮影動作後に、ユーザーの操作に応じて、前記複数の画像に対する評価エリアの位置を指定するステップと、(c)前記評価エリアにおいて前記所定の撮影条件項目に係る所定条件を最も満足する一の画像を、前記複数の画像から抽出するステップとを備えることを特徴とする。
【発明の効果】
【００２０】
請求項１から請求項７のいずれかに記載の発明によれば、所定の撮影条件項目について段階的に異ならせた複数の撮影条件にそれぞれ対応する複数の画像を時間順次に取得した後に、ユーザーの操作に応じて指定される評価エリアにおいて、所定の撮影条件項目に係る所定条件を最も満足する一の画像を、複数の画像から抽出するような構成とすることで、撮影前の煩雑な操作が不要でかつ、所望の画像を容易に得ることができる。すなわち、撮影時には撮影条件の設定に気をとられることがなく、撮影後に撮影条件に係る指定を行うことができるため、撮影の失敗を減少させることができ、撮像装置の使い勝手が向上する。
【００２１】
また、請求項２に記載の発明によれば、所定の撮影条件項目が、合焦、露出、及びホワイトバランスのうち少なくとも一つの項目を含み、所定の撮影条件項目について段階的に異ならせた複数の撮影条件にそれぞれ対応する複数の画像のうちの各画像を対象として、評価エリアに係る合焦評価値、露出評価値、及びホワイトバランス評価値のうち少なくとも一つの評価値を算出し、当該算出された評価値に基づいて、複数の画像から一の画像を抽出するため、合焦や、露出や、ホワイトバランス等について所望の条件に係る画像を容易に取得することができる。
【００２２】
また、請求項３に記載の発明によれば、複数の画像のうち抽出されなかった画像が消去されるため、記憶媒体の記憶容量を有効利用することができる。また、取得した所望の画像を容易に探し出すこともできる。
【００２３】
また、請求項４に記載の発明によれば、画像表示のフレームレートよりも相対的に高速のフレームレートで複数の画像を取得することで、略同一の構図について撮影条件を変更しつつ複数の画像を容易に取得することができるため、所望の画像を得ることができる確率が高くなる。なお、動画撮影については、画像表示のフレームレートよりも高速のフレームレートで撮影条件を適宜変化させつつ撮影を行い、動画表示に必要な画像の更新間隔に対応する期間内に得られた複数の画像から所望の画像を抽出する動作を繰り返すことで、滑らかに画像が変化していく動画を取得することができる。
【００２４】
また、請求項５に記載の発明によれば、撮影開始の指示に応答して撮像に係るフレームレートを高めることで、略同一の構図について撮影条件を変更させつつ複数の画像を取得したい時に高速のフレームレートを採用することができるため、不必要な電力の消費を抑制することができる。
【００２５】
また、請求項６に記載の発明によれば、撮影終了に応答して、撮像に係るフレームレートを、撮影開始の指示前のフレームレートに戻すことで、撮影時だけ高速のフレームレートが採用されるため、不必要な電力の消費を更に抑制することができる。
【発明を実施するための最良の形態】
【００２６】
以下、本発明の実施形態を図面に基づいて説明する。
【００２７】
＜撮像装置の概要＞
図１は本発明の実施形態に係る撮像装置１の外観を示す斜視図である。また、図２は撮像装置１の外観を示す背面図である。なお、図１及び図２には方位関係を明確にするためにお互いに直交するＸ，Ｙ，Ｚの三軸を示している。
【００２８】
撮像装置１は、デジタルカメラとして構成されており、その前面側には撮影レンズ１１が設けられている。撮影レンズ１１の内側には、撮影レンズ１１を介して入射する被写体像を光電変換して画像信号を生成する撮像素子２１が設けられている。本実施例ではＣＭＯＳタイプの撮像素子を用いる。なお、撮像素子としては、ＣＣＤを用いても良い。
【００２９】
撮影レンズ１１には光軸方向に沿って駆動可能なレンズ系が含まれており、当該レンズ系を光軸方向に駆動することにより、撮像素子２１に結像される被写体像の合焦状態を実現することができるように構成されている。
【００３０】
撮像装置１の上面側には、シャッターボタン１３が配設されている。シャッターボタン１３は、被写体の撮影を行う際にユーザが押下操作を行って撮像装置１に対して本撮影動作を開始させるための指示（「撮影開始指示」とも称する）を与えるボタンである。
【００３１】
撮像装置１の側面部には、ユーザによるシャッターボタン１３の押下操作に伴う本撮影動作で得られる画像データを記憶するための記憶媒体であるメモリカード９を装着する装着部１５が形成されている。更に、装着部１５からメモリカード９を取り出す際に押下するカード取り出しボタン１５ｂが配置されており、装着部１５からメモリカード９を取り出すことができる。
【００３２】
撮像装置１の背面には、本撮影前に被写体を動画的態様で表示するライブビュー表示や、撮影した画像等の表示を行う表示手段として機能する液晶ディスプレイ(ＬＣＤ：Liquid Crystal Display)１６と、複数のボタン１７１〜１７３を備えた背面操作部１７とが設けられている。なお、４連ボタン１７１の押下により、ＬＣＤ１６に表示される画面上で各種項目の選択状態等を変更することや、撮影倍率の増減を実現すること等ができ、実行ボタン１７２の押下により、各種動作や選択状態の決定を実行すること等ができる。更に、モード切替ボタン１７３の押下により、後述する撮影条件指定モードと一般的なデジタルカメラで行われる通常の撮影が実行されるモード（「通常撮影モード」とも称する）とを含む撮影モード、及び再生モード等の複数のモード間でモード切替えを行うことができる。
【００３３】
＜撮像装置の機能構成＞
図３は撮像装置１の機能構成を示すブロック図である。
【００３４】
撮影レンズ１１は、撮影倍率を変更するためのレンズ系（「ズームレンズ」とも称する）１１１と、撮像素子２１に結像される被写体像の合焦状態を実現するためのレンズ系（「フォーカスレンズ」とも称する）１１２とを備えて構成される。なお、フォーカスレンズ１１２は、撮影レンズ１１の光軸方向に沿って前後に駆動することで、種々の距離に位置する被写体に対して合焦した画像の取得を可能とする。
【００３５】
撮像素子２１は、ズームレンズ１１１及びフォーカスレンズ１１２を通して結像される被写体像に基づいた光電変換により画像信号（ＲＧＢの三色それぞれに対応する画素値の信号）を生成し、信号処理部２２に対して当該画像信号を出力する。よって、撮像素子２１の動作により、被写体に係る画像信号（以下、単に「画像」とも称する）を取得することができる。
【００３６】
撮像素子２１の駆動方式（読出しモード）には、ドラフトモードと本撮影モードの２つのモードがある。ドラフトモードは、画像を取得してメモリカード９等に記憶する撮影（「本撮影」とも称する）の前に、プレビュー用となるライブビュー表示用の画像を生成するための読み出しモードであり、いわゆるライブビュー表示時に適用される。このドラフトモードにおいては、例えば、１フレーム分の画像信号を読出す際に、水平ラインについて８ライン中１ラインを読み出すように撮像素子２１が駆動される。本撮影モードは、本撮影時に、撮像素子２１の全画素を読み出し対象として画像信号を読み出すモードである。
【００３７】
そして、後述する撮影条件指定モードでは、本撮影モードにおける撮像素子２１の画像信号の読出し速度（フレームレート）は、ドラフトモードにおけるフレームレートよりも相対的に高くなっている。例えば、ドラフトモードでは、フレームレートがＬＣＤにおける表示が人間の目に充分動画として見える毎秒３０フレーム（３０ｆｐｓ）であるのに対して、本撮影モードでは、フレームレートが毎秒３００フレーム（３００ｆｐｓ）となり、フレームレートが１０倍にもなる。換言すれば、ライブビュー表示用に画像信号を読出すドラフトモードでは、１／３０秒毎に１フレーム分の画像信号が撮像素子２１より読出されて出力され、本撮影モードでは、１／３００秒毎に１フレーム分の画像信号が撮像素子２１より読み出されて出力される。
【００３８】
信号処理部２２は、ＣＤＳ(相関２重サンプリング器)、アンプ部、およびＡ／Ｄ変換器を備えて構成され、撮像素子２１からの画像信号は、ＣＤＳでサンプリングされ、アンプ部で所望の増幅が行われ、Ａ／Ｄ変換器でデジタル信号に変換される。信号処理部２２から出力される画像信号（画像）は、制御部２０のＤＭＡコマンドによりＳＤＲＡＭ（メモリ）２３に一時的に記憶（バッファリング）される。メモリ２３に一時的に記憶された画像は、画像処理部２４に送られるとともに、合焦演算部２５、ＡＥ演算部２６、及びＷＢ演算部２７にも適宜送られる。
【００３９】
合焦演算部２５は、メモリ２３からの画像に対して設定された評価エリア内の部分画像について、例えば、隣接画素間の画素値の差分の絶対値の総和を合焦状態を評価するための値（「合焦評価値」とも称する）として算出し、制御部２０に出力する。
【００４０】
ＡＥ演算部２６は、ライブビュー表示時において、メモリ２３からの画像の輝度値（被写体輝度）に応じて、露出制御値（シャッター速度、絞り値、及びゲイン値等）を算出し、制御部２０に出力する。また、撮影条件指定モードでは、必要に応じて、ＡＥ演算部２６が、本撮影動作によって取得されてメモリ２３に一時的に記憶される画像に対して設定された評価エリア内の部分画像について、例えば、画素値の平均値を露出の状態を評価するための値（「露出評価値」とも称する）として算出し、制御部２０に出力する。なお、撮影条件指定モードにおける本撮影時の露出制御値としては、本撮影時において露出制御値を段階的に変動させる場合には、後述するように制御部２０で設定される値が採用される。一方、本撮影時において露出制御値を段階的に変動させない場合には、本撮影直前にＡＥ演算部２６で算出される露出制御値が採用される。
【００４１】
ＷＢ演算部２７は、ライブビュー表示時において、メモリ２３からの画像に係る画素値に基づいて、画像のホワイトバランス（ＷＢ）を適正化した後のホワイトバランスを示す値をＷＢ設定値として算出し、制御部２０に出力する。このとき、制御部２０で、ＷＢ演算部２７からのＷＢ設定値に基づいて、画像のＷＢを適正化するためのゲイン値（「ＷＢゲイン値」とも称する）が算出される。また、撮影条件指定モードでは、必要に応じて、ＷＢ演算部２７が、本撮影動作によって取得されてメモリ２３に一時的に記憶される画像に対して設定された評価エリア内の部分画像について、例えば、ＲＧＢ各色の画素値の積算値（「測色評価値」とも称する）Ｒｓ、Ｇｓ、Ｂｓを算出する。そして、下式（１）に基づいて、ホワイトバランスを評価するための値（「ＷＢ評価値」とも称する）である（ｇｒ，ｇｂ）を算出し、制御部２０に出力する。なお、撮影条件指定モードにおける本撮影時のＷＢゲイン値としては、本撮影時においてホワイトバランスを段階的に変動させる場合には、後述するように制御部２０で設定される値が採用される。一方、本撮影時においてホワイトバランスを段階的に変動させない場合には、本撮影直前にＷＢ演算部２７と制御部２０とによって算出されるＷＢゲイン値が採用される。
【００４２】
（ｇｒ，ｇｂ）＝（Ｒｓ／Ｇｓ，Ｂｓ／Ｇｓ）・・・（１）。
【００４３】
画像処理部２４は、画像に対して、ＷＢゲイン値に基づくホワイトバランスの調整、γ補正、アパチャーコントロール等の画像処理を施す。なお、本撮影時には、画像処理部２４において、メモリカード９に記憶するための画像に対して、適宜圧縮処理が施され、当該圧縮処理後の画像がメモリカード９に記憶される。また、ライブビュー表示時には、画像処理部２４から出力される画像は、ＬＣＤ１６の表示画素数に応じたサイズに変換されて、ＬＣＤ１６より可視的に出力される。
【００４４】
制御部２０は、主にＣＰＵ、ＲＯＭ２０１、及びＲＡＭ２０２等を備えて構成され、撮像装置１内の各部を統括制御するものである。この制御部２０では、ＣＰＵがＲＯＭ２０１等に格納される所定のプログラムを読み込んで実行することにより種々の演算や制御等を実現する。
【００４５】
なお、後述する撮影条件指定モードに係る動作も制御部２０の各種機能によって実現される。また、ＲＯＭ２０１では、撮影時に条件を変動させる撮影条件に係る各項目（「合焦」「露出」及び「ホワイトバランス」）について、段階的に異ならせた複数（例えば、１０個）の撮影条件（パラメータ）を記憶している。具体的には、「合焦」については、フォーカスレンズ１１２の光軸方向に沿った繰り出し側の端（「遠端」とも称する）から繰り入れ側の端（「近端」とも称する）までの駆動範囲における、複数のフォーカスレンズ１１２の位置がＲＯＭ２０１に記憶されている。また、「露出」については、比較的高い露出値から比較的低い露出値までの範囲に対応する複数の露出制御値がＲＯＭ２０１に記憶されている。「ホワイトバランス」については、赤味を帯びた画像を生成するためのＷＢゲイン値から、青味を帯びた画像を生成するためのＷＢゲイン値までの範囲における、複数のＷＢゲイン値が記憶されている。なお、以下では、「合焦」「露出」及び「ホワイトバランス」等の撮影条件に係る項目を「撮影条件項目」とも称する。
【００４６】
背面操作部１７は、複数のボタン１７１〜１７３の押下操作に応じて、制御部２０に対して各種信号を送出する。
【００４７】
シャッターボタン１３は、半押し状態（「Ｓ１状態」とも称する）と押し込んだ状態（「Ｓ２状態」とも称する）とが検出可能な２段階スイッチになっている。通常撮影モードでは、ライブビュー表示時にシャッターボタン１３をＳ１状態にすると、一般的なオートフォーカス制御や自動露光制御やホワイトバランス制御が行われ、続いてＳ２状態にすると、本撮影動作を行う。また、撮影条件指定モードでは、Ｓ２状態とすると、本撮影動作の開始を指示する撮影開始指示がシャッターボタン１３から制御部２０に発せられ、後述する一連の本撮影動作を行う。
【００４８】
以下、撮影条件指定モードに設定されている場合における撮像装置１の動作について説明する。
【００４９】
＜撮影条件指定モードにおける動作＞
まず、撮影条件指定モードにおける撮像装置１の動作の概要について説明する。
【００５０】
撮影条件指定モードでは、本撮影を行う前に、撮影時に条件を変動させる撮影条件項目（合焦、露出、及びホワイトバランスのうちの少なくとも一つの項目）をユーザーが選択することができる。そして、ユーザーの操作に基づいた撮影開始指示に応答して、撮影時に条件を変動させる撮影条件項目（「条件変動項目」とも称する）に係る撮影条件が段階的に変動されつつ、複数回の撮影が行われ、複数の撮影条件に対応する複数の画像を取得する（本撮影動作）。本撮影動作後に、ユーザーが複数の画像に対する一の評価エリアを指定すると、当該評価エリアに係る部分画像において、条件変動項目に係る所定条件を最も満足する一の画像を抽出してメモリカード９に記憶する。一方、上記複数の画像のうち抽出されなかった他の画像は、消去される。
【００５１】
以下、撮影条件指定モードにおける各動作について詳述する。
【００５２】
＜条件変動項目の選択＞
図４は条件変動項目を選択するための画面（以下、単に「選択画面」とも称する）を例示する図である。ユーザーが、モード切替ボタン１７３を押下操作することで、撮像装置１が撮影条件指定モードに設定されると、図４に示すような選択画面がＬＣＤ１６に表示される。
【００５３】
図４に示す選択画面では、選択候補にあたる３つの撮影条件項目（「合焦」「露出」及び「ホワイトバランス」）と、撮影条件項目の選択を完了させるための「完了」とからなる４項目が縦方向に空間順次に表示される。
【００５４】
図４に示す選択画面がＬＣＤ１６に表示された状態で、ユーザーが４連ボタン１７１の上下ボタンを押下することで、「合焦」「露出」「ホワイトバランス」及び「完了」のうちのいずれか一つの項目に太枠カーソルＣＳを合わせることができる。ユーザーが、選択候補にあたる３項目のいずれかに太枠カーソルＣＳを合わせて、実行ボタン１７２を押下すると、太枠カーソルＣＳが合わされていた項目の左側に選択を示すマーク（「選択マーク」とも称する）ＳＭを付加することができる。適宜選択マークＳＭが付加された状態で、「完了」の項目に太枠カーソルＣＳが合わされて、実行ボタン１７２が押下されると、選択マークＳＭが付加された項目が、条件変動項目として選択される。
【００５５】
そして、制御部２０は、各条件変動項目の選択に応答して、各条件変動項目に対応する複数の撮影条件をＲＯＭ２０１からＲＡＭ２０２に読み出し、撮影に用いる撮影条件として設定する。ここで設定される複数の撮影条件は、例えば、条件変動項目が「合焦」である場合には、フォーカスレンズ１１２の駆動範囲の遠端から近端まで被写界深度分ずつ段階的に異ならせた複数のフォーカスレンズ１１２の位置である。また、条件変動項目が「露出」である場合には、露出値が低い状態から高い状態まで、露出値を段階的に異ならせた場合に対応する複数の露出制御値である。更に、条件変動項目が「ホワイトバランス」である場合には、赤味を帯びた画像を生成するためのＷＢゲイン値から、青味を帯びた画像を生成するためのＷＢゲイン値までの範囲において段階的に異ならせた複数のＷＢゲイン値である。
【００５６】
このようにして、１以上の条件変動項目が選択されると、本撮影時の構図を決定するために、ライブビュー画像がＬＣＤ１６に表示された状態となる。
【００５７】
＜撮影条件指定モードにおける動作フローの一例＞
図５は、撮影条件指定モードに設定された状態における撮像装置１の本撮影及び記憶処理の動作フローを例示するフローチャートである。なお、図５では、「合焦」のみが条件変動項目として選択されている場合についての動作フローを示している。本動作フローは、制御部２０の制御下で実現される。
【００５８】
上述したように、図４に示したような選択画面において条件変動項目が選択された後に、ライブビュー画像がＬＣＤ１６上に表示された状態で、ユーザーがシャッターボタン１３を押下してＳ１状態となると、ライブビュー画像に基づいて本撮影用の露出制御値及びＷＢゲイン値が設定される。引き続いて、Ｓ２状態となると、図５に示す動作フローが開始され、図５のステップＳ１１に進む。
【００５９】
ステップＳ１１では、撮像素子２１における画像信号の読出し速度（フレームレート）が、毎秒３０フレーム（３０ｆｐｓ）から、毎秒３００フレーム（３００ｆｐｓ）に切り替えられ、ステップＳ１２に進む。つまり、このステップＳ１１では、ユーザーによるシャッターボタン１３の押下操作、すなわち撮影開始指示に応答して、撮像素子２１におけるフレームレートを、撮影開始指示が発せられる前におけるフレームレートよりも相対的に高速のフレームレートに変更する。
【００６０】
ステップＳ１２では、フォーカスレンズ１１２を、撮影レンズ１１の光軸方向に沿って最も繰り出した位置（遠端）まで駆動させて、ステップＳ１３に進む。
【００６１】
ステップＳ１３では、撮像素子２１に被写体像を結像させる露光を行い、ステップＳ１４に進む。
【００６２】
ステップＳ１４では、撮像素子２１から全画素に係る画像信号（例えば、約３００万画素分の画像信号）を読出して、各種処理後に画像信号をメモリ２３に一時的に記憶して、ステップＳ１５に進む。
【００６３】
ステップＳ１５では、図６で示すように、メモリ（バッファ）２３において、次に取得されて一時的に記憶される画像信号（画像）のためのアドレスを、ステップＳ１４で一時的に記憶した画像の終了アドレスの次のアドレスに更新設定し、ステップＳ１６に進む。
【００６４】
ステップＳ１６では、フォーカスレンズ１１２の位置が、撮影レンズ１１の光軸方向に沿って最も繰り入れた位置（近端）にあるか否かを判定する。このステップＳ１６では、フォーカスレンズ１１２の位置が近端にあれば、ステップＳ１８に進み、近端になければ、ステップＳ１７に進む。
【００６５】
ステップＳ１７では、フォーカスレンズ１１２の位置を被写界深度（１Ｆδ）分に相当する距離だけ繰り入れ側（近側）へ駆動させて、ステップＳ１３に戻る。つまり、フォーカスレンズ１１２が近端に到達するまで、ステップＳ１３からステップＳ１７までの処理を繰り返し行う。換言すれば、遠端から近端まで被写界深度分に相当するピッチで、フォーカスレンズ１１２の位置を徐々にずらしつつ、各フォーカスレンズ１１２の位置に対応する画像を取得する。その結果、合焦される被写体を段階的に異ならせたｎフレーム分（例えば、ｎ＝１０）の画像がメモリ２３内に一時的に記憶された状態となる。
【００６６】
図７は、撮影条件指定モードにおける露光、画像信号の読出し、及びフォーカスレンズ１１２のレンズ駆動のタイミングを示すタイミングチャートである。なお、図７では、「合焦」のみが条件変動項目として選択されている場合におけるタイミングチャートが例示されており、本撮影前後におけるライブビューに係る露光タイミング及び読出しタイミングがＬＶの符合が付されて示されている。
【００６７】
図７に示すように、撮影条件指定モードにおける本撮影動作では、垂直同期信号（ＶＤ）の発生に応答して、１，２，３，・・・，ｎ−３，ｎ−２，ｎ−１，ｎ回目のフォーカスレンズ１１２の駆動、露光、画像信号の読出しが時間順次に行われる。なお、ここでは、「露出」及び「ホワイトバランス」は条件変動項目として選択されていないため、本撮影動作時における露出制御値及びＷＢゲイン値は、本撮影動作の直前（Ｓ１状態）で設定された一定の値となる。
【００６８】
この本撮影動作において取得され、メモリ２３に一時的に記憶される複数の画像の一例を図８から図１２に示している。図８から図１２では、山Ｍ、船ＳＰ、人ＰＳ、樹木ＴＲの順に空間順次に遠方から位置する被写体にそれぞれ合焦している５つの画像を例示している。具体的には、図８及び図９に示す画像では、山Ｍ等の遠景に合焦しており、図１０に示す画像では、船ＳＰに合焦しており、図１１に示す画像では、人ＰＳに合焦しており、図１２に示す画像では、樹木ＴＲに合焦している。
【００６９】
このようにして、「合焦」に係る複数の撮影条件のうちの各撮影条件を時間順次に採用しつつ、複数の撮影条件にそれぞれ対応する複数の画像を取得する撮影動作が実施され、撮像素子２１における露光及び画像信号の読出等を含む本撮影動作が終了する。
【００７０】
図５に示すフローチャートに戻って説明を続ける。
【００７１】
ステップＳ１６からステップＳ１８に進む場合には、本撮影動作が終了し、記憶処理動作に移行する。そのため、ステップＳ１８では、撮像素子２１における画像信号の読出し速度（フレームレート）が、毎秒３００フレーム（３００ｆｐｓ）から、毎秒３０フレーム（３０ｆｐｓ）に切り替えられ、ステップＳ１９に進む。このように、本撮影動作の終了に応答して、撮像素子２１のフレームレートが、撮影開始指示が発せられる前、すなわち本撮影動作の開始前におけるフレームレート（３０ｆｐｓ）と同一のフレームレートに戻される。
【００７２】
ステップＳ１９では、ユーザーの操作に基づいて、評価エリアが指定されたか否かを判別する。
【００７３】
図１３は、評価エリアを指定する画面（「評価エリア指定画面」とも称する）を例示する図である。ステップＳ１９に進んできた時点で、ＬＣＤ１６には、評価エリア指定画面が表示される。この評価エリア指定画面では、本撮影動作でメモリ２３に一時的に記憶された複数の画像のうち、フォーカスレンズ１１２の位置が遠端から近端のほぼ中央となった状態で取得された代表的な画像（「代表画像」とも称する）と、評価エリアの位置を示す枠３００とが重畳表示される。このような評価エリア指定画面が表示された状態で、ユーザーは、４連ボタン１７１を適宜押下操作することで、代表画像上において合焦させたい被写体に枠３００を合わせることができる。なお、図１３では、船ＳＰに枠３００を合わせている状態が例示されている。そして、ユーザーは、所望の被写体の位置に枠３００を合わせた状態で、実行ボタン１７２を押下することで、評価エリアの位置を指定することができる。このとき、ユーザーによって指定された評価エリアの位置は、ＲＡＭ２０２に記憶される。このようにして、メモリ２３内に一時的に記憶されたｎフレーム分の画像に対して、共通の評価エリアの位置が決定される。
【００７４】
そして、ここでは、評価エリアが指定されるまでステップＳ１９の判定が繰り返され、評価エリアが指定されると、ステップＳ２０に進む。
【００７５】
ステップＳ２０では、メモリ２３内に一時的に記憶されたｎフレーム分の画像すべてについて、指定された評価エリアを対象とした合焦評価値をそれぞれ算出し、ステップＳ２１に進む。
【００７６】
ステップＳ２１では、ステップＳ２０で算出された合焦評価値に基づいて、合焦評価値が最大となる画像を、メモリ２３内に一時的に記憶されたｎフレーム分の画像から抽出し、ステップＳ２２に進む。つまり、ここでは、評価エリアに含まれる被写体に対して最も合焦していることが「合焦」に係る適正条件として設定されており、合焦評価値が最大となる画像が、当該適正条件を最も満足する一の画像（「合焦画像」とも称する）であるものとして抽出される。
【００７７】
ステップＳ２２では、ステップＳ２１で抽出された合焦画像をメモリカード９に記憶して、ステップＳ２３に進む。なお、このステップＳ２２においてメモリカード９へ記憶される画像データの形式としては、ＲＡＷ、ＴＩＦＦ、又はＪＰＥＧ等の種々の形式を採用することができる。また、このステップＳ２２では、ステップＳ２１で抽出された合焦画像に対して所定の圧縮率の圧縮処理を施して、メモリカード９に記憶するようにしても良い。
【００７８】
ステップＳ２３では、メモリ２３内に一時的に記憶されたｎフレーム分の画像のうち、ステップＳ２１において抽出されなかった残余の画像を、不要な画像として、メモリ２３から消去し、記憶処理動作が終了され、図５に示す動作フローが終了する。
【００７９】
上述したように、撮影条件指定モードに設定された撮像装置１では、例えば、複数のフォーカスレンズ１１２の位置に対応する複数の画像が時間順次に取得される本撮影動作が行われる。そして、本撮影動作の終了後に、ユーザーによって評価エリアが指定されると、本撮影動作で取得された複数の画像から、評価エリアに係る合焦評価値が最大となる合焦画像が自動的に抽出されてメモリカード９に記憶される。この時、残余の画像は消去される。このような動作により、撮影前の評価エリアの設定等といった煩雑な操作が不要となりかつ、所望の被写体に合焦させた所望の合焦画像を容易に得ることができる。すなわち、撮影に際して、合焦させたい被写体まで評価エリアを移動させる設定等に気をとられず、撮影に集中して複数の画像を取得した後に、合焦させたい被写体の位置を指定することができる。その結果、撮影の失敗を減少させることができ、撮像装置の使い勝手が向上する。
【００８０】
＜露出、及びホワイトバランスが条件変動項目である場合における動作フロー＞
以上では、説明を簡単にするために、「合焦」のみが条件変動項目として選択された場合について説明したが、他の撮影条件項目が条件変動項目として選択された場合について以下説明する。
【００８１】
図１４は、「露出」及び「ホワイトバランス」のいずれか一方の撮影条件項目が条件変動項目として選択された場合における撮像装置１の本撮影及び記憶処理の動作フローを例示するフローチャートである。なお、本動作フローは、図５で示したフローチャートと同様となる処理が多いため、図５と同様となる処理については、同様なステップ番号を付している。また、図１４で示す動作フローは、図５で示したフローチャートと同様に、制御部２０の制御下で実現される。
【００８２】
上述したように、図４に示したような選択画面において、条件変動項目（「露出」及び「ホワイトバランス」のいずれか一方の項目）が選択された後に、ライブビュー画像がＬＣＤ１６上に表示された状態で、ユーザーがシャッターボタン１３を押下してＳ１状態となると、一般的なＡＦ制御（例えば、ワンショットＡＦ動作）が行われる。また、このとき、「露出」が条件変動項目として選択されていない場合には、ライブビュー画像に基づいて本撮影用の露出制御値が設定され、「ホワイトバランス」が条件変動項目として選択されていない場合には、ライブビュー画像に基づいて本撮影用のＷＢゲイン値が設定される。引き続いて、Ｓ２状態となると、図１４に示す動作フローが開始され、図１４のステップＳ１１に進み、フレームレートが毎秒３０フレームから、毎秒３００フレームに切り替えられ、ステップＳ３２に進む。
【００８３】
ステップＳ３２では、条件変動項目の選択に応じて設定された複数の撮影条件のうちｎ番目（ｎは自然数）の撮影条件に設定され、ステップＳ１３に進む。このステップＳ３２の処理が１回目の場合には、複数の撮影条件のうち１番目の撮影条件に設定され、また、このステップＳ３２の処理がｎ回目の場合には、複数の撮影条件のうちｎ番目の撮影条件に設定される。なお、ここでは、「合焦」は条件変動項目として選択されていないため、本撮影動作時におけるフォーカスレンズ１１２の位置は、本撮影動作の直前（Ｓ１状態）におけるＡＦ動作によって設定される一定の位置に保持される。また、「露出」が条件変動項目として選択されていない場合には、本撮影動作における露出制御値は、本撮影動作の直前（Ｓ１状態）で設定された一定の値となる。更に、「ホワイトバランス」が条件変動項目として選択されていない場合には、本撮影動作におけるＷＢゲイン値は、本撮影動作の直前（Ｓ１状態）で設定された一定の値となる。
【００８４】
引き続いて、撮像素子２１に被写体像を結像させる露光が行われ（ステップＳ１３）、撮像素子２１から全画素に係る画像信号が読出されてメモリ２３に一時的に記憶され（ステップＳ１４）、バッファのアドレスを更新設定し（ステップＳ１５）、ステップＳ３６に進む。
【００８５】
ステップＳ３６では、条件変動項目に係る全撮影条件での撮影が終了したか否かを判定する。このステップＳ３６では、全撮影条件での撮影が終了していなければ、ステップＳ３２に戻り、全撮影条件での撮影が終了するまで、ステップＳ３２からステップＳ３６までの処理を繰り返す。一方、全撮影条件での撮影が終了していれば、ステップＳ１８に進む。つまり、各条件変動項目に係る複数の撮影条件のうちの各撮影条件を時間順次に採用しつつ、複数の撮影条件にそれぞれ対応する複数の画像を取得する撮影動作が実施され、撮像素子２１における露光及び画像信号の読出を含む本撮影動作が終了する。
【００８６】
そして、撮像素子２１における画像信号の読出し速度（フレームレート）が、毎秒３００フレームから、毎秒３０フレームに切り替えられ（ステップＳ１８）、ステップＳ１９に進む。
【００８７】
ステップＳ１９では、ユーザーの操作に基づいて、評価エリアが指定されたか否かを判別する。なお、ここでも、上述したように、ステップＳ１９に進んできた時点で、ＬＣＤ１６には、図１３で示したような評価エリア指定画面が表示される。なお、ここでは、評価エリア指定画面には、ステップＳ３２〜Ｓ３６の処理を繰り返すことで取得された複数の画像のうちの代表的な一つの画像が表示される。そして、評価エリア指定画面がＬＣＤ１６に表示された状態で、ユーザーが背面操作部１７の押下操作することで、評価エリアの位置を指定することができる。そして、ここでは、評価エリアが指定されるまでステップＳ１９の判定が繰り返され、評価エリアが指定されると、ステップＳ４０に進む。
【００８８】
ステップＳ４０では、ステップＳ３２からステップＳ３６までの処理を繰り返すことでメモリ２３内に一時的に記憶されたｎフレーム分の画像すべてについて、指定された評価エリアを対象とした評価値（露出評価値、又はＷＢ評価値）をそれぞれ算出し、ステップＳ４１に進む。
【００８９】
ステップＳ４１では、ステップＳ４０で算出された評価値（露出評価値、又はＷＢ評価値）に基づいて、各条件変動項目に対して設定されている基準となる評価値（「基準評価値」とも称する）に最も近い評価値を検出する。そして、当該検出された評価値に係る画像を、メモリ２３内に一時的に記憶されたｎフレーム分の画像から抽出し、ステップＳ２２に進む。
【００９０】
なお、「露出」に係る基準評価値は、評価エリアに含まれる被写体に係る露出値が適度、すなわち評価エリアに含まれる被写体が暗すぎず、明るすぎない程度となるような露出評価値となっている。また、「ホワイトバランス」に係る基準評価値は、評価エリアに含まれる被写体に係るホワイトバランスが適度、すなわち評価エリアに含まれる被写体が赤味も青味も帯びない程度となるようなＷＢ評価値となっている。なお、これらの基準評価値は、ＲＯＭ２０１内等に予め格納されているものとする。
【００９１】
したがって、ステップＳ４１では、メモリ２３内に一時的に記憶されたｎフレーム分の画像から、評価エリアに係る被写体の輝度やホワイトバランスが自然（適度）となる一の画像が抽出される。換言すれば、評価エリアに含まれる被写体の輝度やホワイトバランスが最も自然（適度）となることが「露出」や「ホワイトバランス」に係る適正条件として設定されており、当該適正条件に対応する基準評価値に最も近い露出評価値やＷＢ評価値が算出された画像が、当該適正条件を最も満足する一の画像であるものとして抽出される。
【００９２】
その後、ステップＳ４１で抽出された画像をメモリカード９に記憶し（ステップＳ２２）、メモリ２３内に一時的に記憶されたｎフレーム分の画像のうち、ステップＳ４１において抽出されなかった残余の画像を、不要な画像として、メモリ２３から消去する（ステップＳ２３）。このようにして、記憶処理動作が終了され、図１４に示す動作フローが終了する。
【００９３】
なお、以上では、条件変動項目として１つの撮影条件項目が選択された場合について説明したが、撮像装置１では、２つ以上の撮影条件項目を条件変動項目として選択することもできる。例えば、２つの条件変動項目が選択された場合には、各条件変動項目に係る撮影条件をそれぞれ段階的に異ならせることで、２つの条件変動項目に係る条件をマトリックス状に異ならせた複数の撮影条件での撮影を行い、本撮影後においてユーザーによって指定された評価エリアにおいて２つの撮影条件項目に係る所定条件を最も満足する一の画像を抽出することもできる。つまり、ユーザーは、条件変動項目として、「合焦」「露出」及び「ホワイトバランス」のうち少なくとも一つの項目を選択することができる。
【００９４】
以上のように、本発明の実施形態に係る撮像装置１では、撮影条件指定モードでは、本撮影動作により、条件変動項目について段階的に異ならせた複数の撮影条件にそれぞれ対応する複数の画像を時間順次に取得する。そして、この本撮影動作後に、ユーザーの操作に応じて指定される評価エリアにおいて、条件変動項目に係る適正条件を最も満足する一の画像を、複数の画像から抽出する。このような構成とすることで、撮影前の煩雑な操作が不要でかつ、所望の画像を容易に得ることができる。換言すれば、撮影時には撮影条件の設定に気をとられることがなく、撮影後に撮影条件に係る指定を行うことができるため、撮影の失敗を減少させることができ、撮像装置の使い勝手が向上する。
【００９５】
また、条件を変動させることができる撮影条件項目（条件変動項目）が、合焦、露出、及びホワイトバランスのうち少なくとも一つの撮影条件項目を含んでいる。そして、条件変動項目について段階的に異ならせた複数の撮影条件にそれぞれ対応する複数の画像のうちの各画像を対象として、評価エリアに係る合焦評価値、露出評価値、及びホワイトバランス評価値のうち少なくとも一つの評価値を算出する。更に、この算出された評価値に基づいて、複数の画像から一の画像を抽出する。その結果、合焦や、露出や、ホワイトバランス等について所望の条件に係る高画質の画像を容易に取得することができる。
【００９６】
また、撮影条件指定モードでは、複数の画像のうち抽出されなかった画像がメモリ２３から消去される。その結果、メモリカード９の記憶容量を有効利用することができる。更に、取得した所望の画像を容易に探し出すこともできる。
【００９７】
また、撮影条件指定モードにおける本撮影動作では、ライブビュー画像を表示するフレームレートよりも相対的に高速のフレームレートで複数の画像を取得する。そのため、略同一の構図について撮影条件を変更しつつ複数の画像を容易に取得することが可能であり、所望の高画質の画像を得ることができる確率が高くなる。
【００９８】
また、撮影条件指定モードでは、撮影開始指示に応答して撮像素子２１における画像信号の読出し速度（フレームレート）を高める。このような構成により、略同一の構図について撮影条件を変更させつつ複数の画像を取得したい時に高速のフレームレートを採用することが可能となり、不必要な電力の消費を抑制することができる。更に、撮影条件指定モードにおいては、本撮影動作の終了に応答して、撮像素子２１における画像信号の読出し速度（フレームレート）が、撮影開始指示が発せられる前のフレームレートに戻される。その結果、本撮影時だけ高速のフレームレートが採用されるため、不必要な電力の消費を更に抑制することができる。
【００９９】
＜変形例＞
以上、この発明の実施形態について説明したが、この発明は上記説明した内容のものに限定されるものではない。
【０１００】
◎例えば、上述した実施形態では、撮影条件指定モードにおいて、メモリ２３に一時的に記憶された複数の画像から、条件変動項目に係る適正条件を最も満足する一の画像を抽出してメモリカード９に記憶する一方で、抽出されなかった残余の画像をメモリ２３から消去したが、これに限られず、条件変動項目に係る適正条件を最も満足するものとして抽出された画像に対しては所定の圧縮率で圧縮処理を施す一方で、抽出されなかった残余の画像に対して前記所定の圧縮率よりも相対的に高い圧縮率で圧縮処理を施して、複数の画像をメモリカード９に記憶するようにしても良い。このような構成とすることで、ユーザーが合焦させたり、適正な輝度としたり、適正なホワイトバランスにしたいと思っていた被写体の位置が、記憶処理の終了後に不満となった場合でも、他の撮影条件に係る画像もメモリカード９に記憶されているため、その他の画像でカバーすることができる。
【０１０１】
したがって、メモリカード９の記憶容量の有効利用と、所望の画像を確実に取得することとの両立を図るためには、抽出されなかった残余の画像については、消去されるか、又は抽出された画像に対する所定の圧縮率よりも相対的に高い圧縮率での圧縮処理等が施されるようにすれば良い。すなわち、抽出された画像と比較して、抽出されなかった画像の方がデータ容量が相対的に小さくなるように、メモリ２３に一時的に記憶された複数の画像の一部または全部について圧縮処理や消去等の画像処理を行い、当該画像処理の結果物である画像データをメモリカード９に記憶する記憶処理が実行されるようにすれば良い。なお、ここで言う「データ容量が相対的に小さくなる」ことには、圧縮率の上昇等によってデータ容量が単に低減することだけではなく、データ消去によってデータ容量が零になることも含まれる。
【０１０２】
但し、メモリカード９の記憶容量の有効利用をより重視する場合には、抽出されなかった残余の画像については、消去される方が好ましい。
【０１０３】
◎また、上述した実施形態では、一つの静止画像を取得するような形態について説明したが、これに限られず、本発明は動画の撮影にも適用することができる。具体的には、条件変動項目について段階的に異ならせた複数の撮影条件にそれぞれ対応する複数の画像を時間順次に取得する動作を繰り返し行うことで、条件変動項目について段階的に異ならせた複数の撮影条件にそれぞれ対応する複数の動画を得ることができる。そして、当該複数の動画の取得後に、ユーザーの操作に応じて指定される評価エリアにおいて、条件変動項目に係る適正条件を最も満足する一の動画を、複数の動画から抽出することもできる。つまり、所望の被写体に対して合焦している画像や、所望の露出条件、及びホワイトバランス条件等で撮影された画像のみによって構成される動画を得ることができる。このとき、この動画再生時においてＬＣＤ１６に表示される動画は、例えば、１／３０秒毎に更新される静止画によって構成されるが、動画撮影時には、動画表示のフレームレートよりも相対的に高速のフレームレート（例えば、毎秒３００フレーム）で撮像素子２１が画像信号を出力することとなる。
【０１０４】
このように、動画撮影については、画像表示のフレームレートよりも高速のフレームレートで撮影条件を適宜変化させつつ撮影を行い、動画表示に係る画像の更新間隔に対応する期間内に得られた複数の画像から所望の画像を抽出することで、滑らかに画像が変化していく動画を取得することができる。
【０１０５】
◎また、上述した実施形態では、枠３００によって評価エリアの位置を指定したが、これに限られず、例えば、画像上の一点をポインタで指定することで、指定された点を含む評価エリアを指定することができるようにしても良い。
【図面の簡単な説明】
【０１０６】
【図１】本発明の実施形態に係る撮像装置の外観を示す斜視図である。
【図２】本発明の実施形態に係る撮像装置の外観を示す背面図である。
【図３】本発明の実施形態に係る撮像装置の機能構成を示すブロック図である。
【図４】条件変動項目を選択する画面を例示する図である。
【図５】撮影条件指定モードでの動作フローを例示するフローチャートである。
【図６】メモリにおける画像の一時記憶状態を説明するための図である。
【図７】撮影条件指定モードでの本撮影動作を示すタイミングチャートである。
【図８】撮影条件指定モードでの本撮影で取得される画像を例示する図である。
【図９】撮影条件指定モードでの本撮影で取得される画像を例示する図である。
【図１０】撮影条件指定モードでの本撮影で取得される画像を例示する図である。
【図１１】撮影条件指定モードでの本撮影で取得される画像を例示する図である。
【図１２】撮影条件指定モードでの本撮影で取得される画像を例示する図である。
【図１３】評価エリアを指定する画面を例示する図である。
【図１４】撮影条件指定モードでの動作フローを例示するフローチャートである。
【図１５】合焦エリアの指定を説明するための図である。
【図１６】ワンショットＡＦ動作の動作フローを示すフローチャートである。
【図１７】フォーカスレンズ位置と合焦評価値との関係を示す図である。
【符号の説明】
【０１０７】
１  撮像装置
９  メモリカード
１１  撮影レンズ
１３  シャッターボタン
１６  ＬＣＤ
１７  背面操作部
２０  制御部
２１  撮像素子
２４  画像処理部
２５  合焦演算部
２６  ＡＥ演算部
２７  ＷＢ演算部
１１１  ズームレンズ
１１２  フォーカスレンズ
【図１】
2006025311.tif 000003
【図２】
2006025311.tif 000004
【図３】
2006025311.tif 000005
【図４】
2006025311.tif 000006
【図５】
2006025311.tif 000007
【図６】
2006025311.tif 000008
【図７】
2006025311.tif 000009
【図８】
2006025311.tif 000010
【図９】
2006025311.tif 000011
【図１０】
2006025311.tif 000012
【図１１】
2006025311.tif 000013
【図１２】
2006025311.tif 000014
【図１３】
2006025311.tif 000015
【図１４】
2006025311.tif 000016
【図１５】
2006025311.tif 000017
【図１６】
2006025311.tif 000018
【図１７】
2006025311.tif 000019